(57)【要約】【課題】スクリーンの展開及び収納作業の面倒さを解消することができ、不使用時のスクリーンの収納スペースにも困ることのないスクリーン装置を提供する。【解決手段】壁面に設けられたカーテンレールＣ上に配設されるスクリーン装置１００であって、ロール状に巻き取り可能に構成されたスクリーンシート１１２及び芯部材を有するスクリーン体１１０と、スクリーン繰り出し・巻き取り装置と、スクリーン体１１０を格納するスクリーン格納部１２０と、スクリーン載置部１４０とを備える。スクリーン格納部１２０は、スクリーンシート１１２を繰り出すときには、通過口１２４が下方向を向き、かつ、スクリーンシート１１２を巻き取った後は、通過口１２４が壁面とは反対方向を向くように、スクリーン載置部１４０上で回動可能に構成されている。スクリーンシート１１２を繰り出すときの通過口１２４の位置は、カーテンレールＣに対して壁面とは反対側に位置する。【選択図】図２
2009198636.tif 000002
【特許請求の範囲】
【請求項１】
壁面に設けられたカーテンレール上に配設されるスクリーン装置であって、
ロール状に巻き取り可能に構成されたスクリーンシート及び前記スクリーンシートを巻き取ったときに芯となる芯部材を有するスクリーン体と、
前記スクリーンシートを繰り出し、かつ、ロール状に巻き取るためのスクリーン繰り出し・巻き取り装置と、
前記スクリーンシートを繰り出したときに当該スクリーンシートを通過させる通過口を有し、前記スクリーン体を格納するスクリーン格納部と、
前記スクリーン格納部が載置される載置面及び前記載置面と直交関係にあるとともに自身を前記壁面に取り付け・固定するための取付け固定面を有するスクリーン載置部とを備え、
前記スクリーン格納部は、前記スクリーンシートを繰り出すときには、前記通過口が下方向を向き、かつ、前記スクリーンシートを巻き取った後は、前記通過口が前記芯部材に対して前記壁面とは反対方向を向くように、前記スクリーン載置部上で回動可能に構成されており、
前記スクリーンシートを繰り出すときの前記通過口の位置は、前記カーテンレールに対して前記壁面とは反対側に位置することを特徴とするスクリーン装置。
【請求項２】
請求項１に記載のスクリーン装置において、
前記スクリーン格納部は、
前記芯部材が前記カーテンレールの上方位置にあるように、前記芯部材の位置を固定する位置固定部をさらに有することを特徴とするスクリーン装置。
【請求項３】
請求項１又は２に記載のスクリーン装置において、
前記スクリーンシートの端部のうち前記スクリーンシートを繰り出したときに下側となる端部には、前記スクリーンシートを巻き取り終えたときに前記通過口を覆うように構成された覆い部材が配設されていることを特徴とするスクリーン装置。
【請求項４】
請求項１又は２に記載のスクリーン装置において、
前記スクリーン格納部における前記通過口の近傍には、前記スクリーンシートを巻き取り終えたときに前記通過口を覆うように構成された覆い部材が配設されていることを特徴とするスクリーン装置。
【請求項５】
請求項１〜４のいずれかに記載のスクリーン装置において、
前記スクリーンシートの繰り出し動作及び巻き取り動作並びにスクリーン格納部の回動動作は、電動で行われることを特徴とするスクリーン装置。
【発明の詳細な説明】
【技術分野】
【０００１】
本発明は、スクリーン装置に関する。
【背景技術】
【０００２】
従来、ホームプロジェクタ用のスクリーンとして、フック状の金具を用いてカーテンレールに吊り下げて使用するタイプのスクリーンが知られている（例えば、特許文献１参照。）。一般的な日本の家庭は部屋がそれほど広くないことから、壁面にスクリーンを設置するだけの面積を確保することは容易ではないが、従来のスクリーンは、カーテンレールが設けられた部分、すなわち窓が配置されたスペースを有効活用することができるため、部屋がそれほど広くない場合であってもホームシアター等を十分に楽しむことができる。
【０００３】
【特許文献１】特開２００５−３５２１８９号公報
【発明の開示】
【発明が解決しようとする課題】
【０００４】
しかしながら、従来のスクリーンにおいては、スクリーンを使用するたびに、フック状の金具をカーテンレールに引っ掛けてカーテンレールにスクリーンを吊り下げたり、カーテンレールからスクリーンを取り外したりしなければならず、スクリーンの展開及び収納作業が面倒であるという問題がある。
【０００５】
なお、部屋の景観を損ねないようにしようと考えると、カーテンレールから取り外した後のスクリーンは、物置や専用の収納場所に収納することとなるが、スクリーンは比較的大型であるため、スクリーンの収納スペースとして比較的広いスペースを確保しなければならない。特に、日本の住環境では、スクリーンの収納スペースを確保するのは容易なことではない。また、スクリーンの収納スペースを確保できた場合であっても、スクリーンを使用するたびに、大きなスクリーンを持ち運ばなければならないため、この点からも、スクリーンの展開及び収納作業が面倒であると言える。
【０００６】
そこで、本発明は、このような問題を解決するためになされたもので、スクリーンの展開及び収納作業の面倒さを解消することができ、不使用時のスクリーンの収納スペースにも困ることのないスクリーン装置を提供することを目的とする。
【課題を解決するための手段】
【０００７】
本発明のスクリーン装置は、壁面に設けられたカーテンレール上に配設されるスクリーン装置であって、ロール状に巻き取り可能に構成されたスクリーンシート及び前記スクリーンシートを巻き取ったときに芯となる芯部材を有するスクリーン体と、前記スクリーンシートを繰り出し、かつ、ロール状に巻き取るためのスクリーン繰り出し・巻き取り装置と、前記スクリーンシートを繰り出したときに当該スクリーンシートを通過させる通過口を有し、前記スクリーン体を格納するスクリーン格納部と、前記スクリーン格納部が載置される載置面及び前記載置面と直交関係にあるとともに自身を前記壁面に取り付け・固定するための取付け固定面を有するスクリーン載置部とを備え、前記スクリーン格納部は、前記スクリーンシートを繰り出すときには、前記通過口が下方向を向き、かつ、前記スクリーンシートを巻き取った後は、前記通過口が前記芯部材に対して前記壁面とは反対方向を向くように、前記スクリーン載置部上で回動可能に構成されており、前記スクリーンシートを繰り出すときの前記通過口の位置は、前記カーテンレールに対して前記壁面とは反対側に位置することを特徴とする。
【０００８】
このため、本発明のスクリーン装置によれば、スクリーン（スクリーンシート）がカーテンレール上に常設されることとなり、スクリーン使用時（展開時）にはスクリーン繰り出し・巻き取り装置によってスクリーン格納部からスクリーンシートを繰り出し、スクリーン不使用時（収納時）にはスクリーン繰り出し・巻き取り装置によってスクリーンシートを巻き取るだけでよいことから、従来のスクリーンの場合に比べて、スクリーンの展開及び収納作業に要する手間等を大幅に軽減することが可能となる。
また、本発明のスクリーン装置によれば、スクリーン不使用時には、カーテンレール上のスクリーン格納部にスクリーンシートが収納されるため、不使用時のスクリーンの収納スペースにも困ることがない。
したがって、本発明のスクリーン装置は、スクリーンの展開及び収納作業の面倒さを解消することができ、不使用時のスクリーンの収納スペースにも困ることのないスクリーン装置となる。
【０００９】
また、本発明のスクリーン装置によれば、普段の生活において比較的目が届き難い“カーテンレールの上”という空間にスクリーン装置を配設していることから、部屋の景観に及ぼす影響を極力抑制することが可能となる。
【００１０】
また、本発明のスクリーン装置によれば、スクリーンシートを繰り出すときの通過口の位置が、カーテンレールに対して壁面とは反対側に位置することから、スクリーンシートを繰り出すときにカーテンレールが邪魔になることもない。
【００１１】
ところで、仮に、スクリーン格納部を回動可能とせず、スクリーンシートを繰り出すとき及び巻き取ったときのいずれにおいても通過口が下方向を向くように構成することによっても、スクリーンシートを繰り出すときにカーテンレールが邪魔になることはなくなるが、この場合は、スクリーン格納部が常にカーテンレールから突出した状態となるため、カーテンレール上が目の届き難い空間であるといっても、部屋の景観を損ないかねない。
これに対し、本発明のスクリーン装置によれば、スクリーン格納部が上記のように回動可能に構成されているため、後述する図１、図２及び図７から分かるように、スクリーンシートを巻き取った後において、通過口が芯部材に対して壁面とは反対方向を向くようにスクリーン格納部を回動させれば、スクリーン格納部がカーテンレールから突出することもなくなる。その結果、部屋の景観に及ぼす影響を極力抑制することが可能となる。
【００１２】
本発明のスクリーン装置においては、前記スクリーン格納部は、前記芯部材が前記カーテンレールの上方位置にあるように、前記芯部材の位置を固定する位置固定部をさらに有することが好ましい。
【００１３】
このように構成することにより、スクリーン体の重心位置が常にカーテンレール上に位置するようになるため、スクリーン装置の安定度を向上することが可能となる。
【００１４】
本発明のスクリーン装置においては、前記スクリーンシートの端部のうち前記スクリーンシートを繰り出したときに下側となる端部には、前記スクリーンシートを巻き取り終わったときに前記通過口を覆うように構成された覆い部材が配設されていることが好ましい。
【００１５】
このように構成することにより、埃等の侵入口となり得る通過口を覆い部材によって覆うことができるため、スクリーンシートに埃等が付着するのを長期間に渡って抑制することが可能となる。
【００１６】
本発明のスクリーン装置においては、前記スクリーン格納部における前記通過口の近傍には、前記スクリーンシートを巻き取り終えたときに前記通過口を覆うように構成された覆い部材が配設されていることが好ましい。
【００１７】
このように構成することによっても、埃等の侵入口となり得る通過口を覆い部材によって覆うことができるため、スクリーンシートに埃等が付着するのを長期間に渡って抑制することが可能となる。
【００１８】
本発明のスクリーン装置においては、前記スクリーンシートの繰り出し動作及び巻き取り動作並びにスクリーン格納部の回動動作は、電動で行われることが好ましい。
【００１９】
このように構成することにより、スクリーンの展開及び収納作業を簡単に行うことが可能となる。
【発明を実施するための最良の形態】
【００２０】
以下、本発明のスクリーン装置について、図に示す実施の形態に基づいて説明する。
【００２１】
［実施形態１］
図１及び図２は、実施形態１に係るスクリーン装置１００を説明するために示す図である。図１（ａ）はスクリーン展開時のスクリーン装置１００の配置構成を示す側面図であり、図１（ｂ）はスクリーン収納時のスクリーン装置１００の配置構成を示す側面図である。図２（ａ）はスクリーン展開時のスクリーン装置１００の配置構成を示す斜視図であり、図２（ｂ）はスクリーン収納時のスクリーン装置１００の配置構成を示す斜視図である。なお、図２（ｂ）においては、覆い部材１１６の図示を省略している。
図３は、スクリーン体１１０を説明するために示す図である。図３（ａ）はスクリーン体１１０の斜視図であり、図３（ｂ）はスクリーン体１１０の要部を拡大して示す図である。
【００２２】
図４は、スクリーン格納部１２０を説明するために示す図である。図４（ａ）はスクリーン格納部１２０の斜視図であり、図４（ｂ）はスクリーン体１１０を装着したときのスクリーン格納部１２０の斜視図であり、図４（ｃ）はスクリーン体１１０を装着したときのスクリーン格納部１２０の側面図である。なお、図４（ａ）及び図４（ｂ）においては、内部構造の理解を容易にするため、スクリーン格納部１２０における一部の側面の図示を省略している。
図５は、スクリーン載置部１４０の斜視図である。
図６は、スクリーン駆動装置１５０の動作回路のブロック図である。
【００２３】
実施形態１に係るスクリーン装置１００は、図１及び図２に示すように、壁面Ａに設けられたカーテンレールＣ上に配設されるスクリーン装置であって、スクリーン体１１０と、スクリーン体１１０を格納するスクリーン格納部１２０と、スクリーン格納部１２０が載置されるスクリーン載置部１４０と、スクリーン駆動装置１５０と、スクリーン駆動装置１５０を遠隔制御するためのリモコン１８０とを備える（一部については図６参照。）。なお、カーテンレールＣは窓Ｂの上方位置に設けられており、カーテンレールＣにはカーテンＤが取り付けられている。
【００２４】
スクリーン体１１０は、図３に示すように、ロール状に巻き取り可能に構成されたスクリーンシート１１２と、スクリーンシート１１２を巻き取ったときに芯となる芯部材１１４と、スクリーンシート１１２の端部のうちスクリーンシート１１２を繰り出したときに下側となる端部に配設された覆い部材１１６とを有する。
【００２５】
スクリーンシート１１２の所定位置には、プロジェクタＰＪからの投写画像を表示するためのスクリーン面１１３が設けられている。
【００２６】
芯部材１１４には、後述するスクリーン格納部１２０の位置固定部１２６における嵌合孔１２８に嵌合可能な突起部１１８が設けられている。
【００２７】
覆い部材１１６は、スクリーンシート１１２を巻き取り終えたときに通過口１２４を覆うように構成されている（図１（ｂ）又は後述する図７（ｅ）及び図７（ｆ）参照。）。なお、スクリーン展開時におけるスクリーンシート１１２のシワや弛みの発生を抑制する観点からいえば、覆い部材１１６は、スクリーンシート１１２に対し適度なテンションを付与できる重さがあることが好ましい。なお、スクリーンシート１１２に付与されるテンションを調整可能なテンション調整機構が覆い部材に設けられていてもよい。
【００２８】
スクリーン格納部１２０は、図２及び図４に示すように、内部にスクリーン体１１０を格納する箱体１２２と、スクリーンシート１１２を繰り出したときにスクリーンシート１１２を通過させる通過口１２４と、芯部材１１４の突起部１１８に対応する嵌合孔１２８を有する位置固定部１２６と、スクリーンシート１１２が通過口１２４から円滑に繰り出され、かつ、通過口１２４を通過するスクリーンシート１１２が芯部材１１４に円滑に巻き取られるように、スクリーンシート１１２を支持するガイド部材１３０とを有する。
なお、詳細については後述するが、スクリーン格納部１２０は、スクリーンシート１１２を繰り出すときには通過口１２４が下方向を向き、スクリーンシート１１２を巻き取った後は通過口１２４が芯部材１１４に対して壁面Ａとは反対方向（手前方向）を向くように、スクリーン載置部１４０上で回動可能に構成されている。スクリーンシート１１２を繰り出すときの通過口１２４の位置は、カーテンレールＣよりも手前側（カーテンレールＣに対して壁面Ａとは反対側）に位置している（図１又は後述する図７参照。）。
【００２９】
スクリーン載置部１４０は、図５に示すように、略Ｌ字状の金具であって、スクリーン格納部１２０が載置される載置面１４２と、載置面１４２に直交するように載置面１４２の端部に立設された取り付け固定面１４４とを有する。取り付け固定面１４４には、複数のネジ孔１４６が設けられており、ネジ１４８でもって壁面Ａの所定位置に取り付け・固定することができるように構成されている。また、図示による説明は省略するが、載置面１４２の裏側（カーテンレールＣ側の面）にも、スクリーン載置部１４０をカーテンレールＣに取り付け・固定するための固定部材が設けられている。
【００３０】
スクリーン駆動装置１５０は、図６に示すように、スクリーンシート１１２の繰り出し及び巻き取りを行うためのスクリーン繰り出し・巻き取り装置１６０と、スクリーン格納部１２０を回動させるためのスクリーン格納部回動装置１７０と、モータ制御部１５２と、外部の商用電源に接続された電源部１５４と、リモコン１８０からの出力信号を受信する受信部１５６とを有する。
【００３１】
スクリーン繰り出し・巻き取り装置１６０は、モータ１６２と、モータ１６２の駆動力をスクリーン体１１０の芯部材１１４の回動軸に伝えるための駆動力伝達手段１６４とを有する。駆動力伝達手段１６４は、例えば、ベルト機構や歯車伝達機構などからなる。
【００３２】
スクリーン格納部回動装置１７０は、モータ１７２と、モータ１７２の駆動力をスクリーン格納部１２０の回動動作に変換するための駆動力変換機構１７４とを有する。
【００３３】
モータ制御部１５２は、スクリーン繰り出し・巻き取り装置１６０及びスクリーン格納部回動装置１７０の各モータ１６２，１７２の駆動を統括制御する機能を有する。電源部１５４は、各モータ１６２，１７２に電力を供給する。
【００３４】
スクリーン展開時及び収納時におけるスクリーンシート１１２の繰り出し動作及び巻き取り動作並びにスクリーン格納部１２０の回動動作について、図７を用いて説明する。
図７は、スクリーンの展開時及び収納時における各動作を説明するために示す図である。図７（ａ）〜図７（ｃ）はスクリーン展開時のスクリーンシート１１２の繰り出し動作及びスクリーン格納部１２０の回動動作を示す側面図であり、図７（ｄ）〜図７（ｆ）はスクリーン収納時のスクリーンシート１１２の巻き取り動作及びスクリーン格納部１２０の回動動作を示す側面図である。
【００３５】
＜スクリーン展開時＞
リモコン１８０の送信部１８２からスクリーン装置１００内の受信部１５６に向けて、スクリーン装置１００の電源をＯＮにする旨の信号が送信されると、受信部１５６は当該信号（電源ＯＮ信号）を受信し、その受信情報を制御部１５２に出力する。制御部１５２は、受信部１５６から電源ＯＮ信号に関する受信情報を受け取ると、まず、スクリーン格納部回動装置１７０のモータ１７２の駆動を制御して、通過口１２４が下方向を向くようにスクリーン格納部１２０を約９０度回動させた後（図７（ａ）及び図７（ｂ）参照。）、スクリーン繰り出し・巻き取り装置１６０のモータ１６２の駆動を制御して、通過口１２４からスクリーンシート１１２を繰り出す。
【００３６】
＜スクリーン収納時＞
リモコン１８０の送信部１８２からスクリーン装置１００内の受信部１５６に向けて、スクリーン装置１００の電源をＯＦＦにする旨の信号が送信されると、受信部１５６は当該信号（電源ＯＦＦ信号）を受信し、その受信情報を制御部１５２に出力する。制御部１５２は、受信部１５６から電源ＯＦＦ信号に関する受信情報を受け取ると、まず、スクリーン繰り出し・巻き取り装置１６０のモータ１６２の駆動を制御して、スクリーンシート１１２を巻き取った後（図７（ｄ）及び図７（ｅ）参照。）、スクリーン格納部回動装置１７０のモータ１７２の駆動を制御して、通過口１２４が芯部材１１４に対して壁面Ａとは反対方向（手前方向）を向くように、スクリーン格納部１２０を約９０度回動させる（図７（ｆ）参照。）。なお、スクリーンシート１１２を巻き取り終えたときには、覆い部材１１６によって通過口１２４が覆われている。
【００３７】
以上のように構成された実施形態１に係るスクリーン装置１００によれば、スクリーン（スクリーンシート１１２）がカーテンレールＣ上に常設されることとなり、スクリーン使用時（展開時）にはスクリーン繰り出し・巻き取り装置１６０によってスクリーン格納部１２０からスクリーンシート１１２を繰り出し、スクリーン不使用時（収納時）にはスクリーン繰り出し・巻き取り装置１６０によってスクリーンシート１１２を巻き取るだけでよいことから、従来のスクリーン（カーテンレールに吊り下げるタイプのスクリーン）の場合に比べて、スクリーンの展開及び収納作業に要する手間等を大幅に軽減することが可能となる。
また、実施形態１に係るスクリーン装置１００によれば、スクリーン不使用時には、カーテンレールＣ上のスクリーン格納部１２０にスクリーンシート１１２が収納されるため、不使用時のスクリーンの収納スペースにも困ることがない。
したがって、実施形態１に係るスクリーン装置１００は、スクリーンの展開及び収納作業の面倒さを解消することができ、不使用時のスクリーンの収納スペースにも困ることのないスクリーン装置となる。
【００３８】
また、実施形態１に係るスクリーン装置１００によれば、普段の生活において比較的目が届き難い“カーテンレールＣの上”という空間にスクリーン装置１００を配設していることから、部屋の景観に及ぼす影響を極力抑制することが可能となる。
【００３９】
また、実施形態１に係るスクリーン装置１００によれば、スクリーンシート１１２を繰り出すときの通過口１２４の位置が、カーテンレールＣに対して壁面Ａとは反対側に位置することから、スクリーンシート１１２を繰り出すときにカーテンレールＣが邪魔になることもない。
【００４０】
また、実施形態１に係るスクリーン装置１００によれば、スクリーン格納部１２０が上記のように回動可能に構成されているため、スクリーンシート１１２を巻き取った後において、通過口１２４が芯部材１１４に対して壁面Ａとは反対方向を向くようにスクリーン格納部１２０を回動させれば、スクリーン格納部１２０がカーテンレールＣから突出することもなくなる（図１、図２及び図７参照。）。その結果、部屋の景観に及ぼす影響を極力抑制することが可能となる。
【００４１】
実施形態１に係るスクリーン装置１００においては、スクリーン格納部１２０は、芯部材１１４がカーテンレールＣの上方位置にあるように、芯部材１１４の位置を固定する位置固定部１２６をさらに有する。これにより、スクリーン体１１０の重心位置が常にカーテンレールＣ上に位置するようになるため、スクリーン装置１００の安定度を向上することが可能となる。
【００４２】
実施形態１に係るスクリーン装置１００においては、スクリーンシート１１２の端部のうちスクリーンシート１１２を繰り出したときに下側となる端部には、スクリーンシート１１２を巻き取り終わったときに通過口１２４を覆うように構成された覆い部材１１６が配設されている。これにより、埃等の侵入口となり得る通過口１２４を覆い部材１１６によって覆うことができるため、スクリーンシート１１２に埃等が付着するのを長期間に渡って抑制することが可能となる。
【００４３】
実施形態１に係るスクリーン装置１００においては、スクリーンシート１１２の巻き取り動作及び繰り出し動作は、電動で行われるように構成されているため、スクリーンの展開及び収納作業を簡単に行うことが可能となる。
【００４４】
［実施形態２］
図８は、実施形態２に係るスクリーン装置２００を説明するために示す図である。図８（ａ）はスクリーン展開前（スクリーンを収納した状態）のスクリーン装置の側面断面図であり、図８（ｂ）はスクリーン展開後のスクリーン装置の側面断面図である。
【００４５】
実施形態２に係るスクリーン装置２００は、基本的には実施形態１に係るスクリーン装置１００と同様の構成を有するが、覆い部材がスクリーン格納部に配設されている点で、実施形態１に係るスクリーン装置１００とは異なる。
【００４６】
すなわち、実施形態２に係るスクリーン装置２００においては、図８に示すように、スクリーン格納部２２０における通過口２２４の近傍には、スクリーンシート２１２を巻き取り終えたときに通過口２２４を覆うように構成された覆い部材２３２が配設されている。
【００４７】
覆い部材２３２は、通過口２２４の一端にヒンジ部２３６を介して回動自在に取り付けられた蓋部材２３４を有する。スクリーン展開時において、通過口２２４が下方向を向くようにスクリーン格納部２２０を回動させると、重力によって蓋部材２３４が回動して通過口２２４が開くこととなる。一方、スクリーン収納時において、通過口２２４が壁面Ａとは反対方向（手前方向）を向くようにスクリーン格納部２２０を回動させると、重力によって蓋部材２３４が回動して通過口２２４が閉じることとなる。
【００４８】
スクリーン体２１０の一方端部には、実施形態１で説明した覆い部材１１６に代えて、棒状部材２１６が配設されている。これにより、スクリーン展開時におけるスクリーンシート２１２のシワや弛みの発生を抑制することが可能となる。
【００４９】
なお、実施形態２に係るスクリーン装置２００において、スクリーン体２１０及びスクリーン格納部２２０以外の構成は、実施形態１で説明したものと同様であるため、詳細な説明は省略する。
【００５０】
このように、実施形態２に係るスクリーン装置２００は、実施形態１に係るスクリーン装置１００とは、覆い部材がスクリーン格納部に配設されている点で異なるが、実施形態１に係るスクリーン装置１００の場合と同様に、スクリーンを展開したり収納したりするのに際し、スクリーン繰り出し・巻き取り装置（図示せず。）によってスクリーンシートを繰り出したり巻き取ったりするだけでよいため、従来のスクリーン（カーテンレールに吊り下げるタイプのスクリーン）の場合に比べて、スクリーンの展開及び収納作業に要する手間等を大幅に軽減することが可能となる。
また、実施形態２に係るスクリーン装置２００によれば、スクリーン不使用時には、カーテンレールＣ上のスクリーン格納部２２０にスクリーンシート２１２が収納されるため、不使用時のスクリーンの収納スペースにも困ることがない。
したがって、実施形態２に係るスクリーン装置２００は、スクリーンの展開及び収納作業の面倒さを解消することができ、不使用時のスクリーンの収納スペースにも困ることのないスクリーン装置となる。
【００５１】
実施形態２に係るスクリーン装置２００においては、スクリーン格納部２２０における通過口２２４の近傍には、スクリーンシート２１２を巻き取り終えたときに通過口２２４を覆うように構成された覆い部材２３２が配設されている。これにより、埃等の侵入口となり得る通過口２２４を覆い部材２３２によって覆うことができるため、スクリーンシート２１２に埃等が付着するのを長期間に渡って抑制することが可能となる。
【００５２】
実施形態２に係るスクリーン装置２００は、覆い部材がスクリーン格納部に配設されている点以外では、実施形態１に係るスクリーン装置１００と同様の構成を有するため、実施形態１に係るスクリーン装置１００が有する効果のうち該当する効果をそのまま有する。
【００５３】
以上、本発明のスクリーン装置を上記の各実施形態に基づいて説明したが、本発明は上記の各実施形態に限られるものではなく、その要旨を逸脱しない範囲において種々の態様において実施することが可能であり、例えば次のような変形も可能である。
【００５４】
上記各実施形態においては、受信部から制御部に向けて受信情報を出力し、制御部が当該受信情報を受け取る場合を例示して説明したが、本発明はこれに限定されるものではなく、制御部がポーリングして受信部から当該受信情報を取得するものであってもよい。
【００５５】
上記各実施形態においては、リモコンでもってスクリーン装置を操作する場合を例示して説明したが、本発明はこれに限定されるものではない。例えば、スクリーン装置の本体（スクリーン格納部など）に操作用のボタンが配設されており、当該ボタンでもってスクリーン装置の各動作を操作できるように構成されていてもよい。
【００５６】
上記各実施形態においては、スクリーンシートの繰り出し動作及び巻き取り動作並びにスクリーン格納部の回動動作が電動で行われるように構成されたスクリーン装置を説明したが、本発明はこれに限定されるものではなく、これらの動作が手動で行われるように構成されていてもよい。
【００５７】
上記各実施形態においては、音声用スピーカが配設されていないタイプのスクリーン装置を例示して説明したが、本発明はこれに限定されるものではなく、スクリーン装置と接続された音声用スピーカが、例えばスクリーン装置の脇（カーテンレール上）に配置されていてもよい。
【図面の簡単な説明】
【００５８】
【図１】実施形態１に係るスクリーン装置１００を説明するために示す図。
【図２】実施形態１に係るスクリーン装置１００を説明するために示す図。
【図３】スクリーン体１１０を説明するために示す図。
【図４】スクリーン格納部１２０を説明するために示す図。
【図５】スクリーン載置部１４０の斜視図。
【図６】スクリーン駆動装置１５０の動作回路のブロック図。
【図７】スクリーンの展開時及び収納時における各動作を説明するために示す図。
【図８】実施形態２に係るスクリーン装置２００を説明するために示す図。
【符号の説明】
【００５９】
１００，２００…スクリーン装置、１１０，２１０…スクリーン体、１１２，２１２…スクリーンシート、１１３…スクリーン面、１１４…芯部材、１１６…覆い部材、１１８…突起部、１２０，２２０…スクリーン格納部、１２２…箱体、１２４，２２４…通過口、１２６…位置固定部、１２８…嵌合孔、１３０，２３０…ガイド部材、１４０，２４０…スクリーン載置部、１４２…載置面、１４４…取り付け固定面、１４６…ネジ孔、１４８…ネジ、１５０…スクリーン駆動装置、１５２…モータ制御部、１５４…電源部、１５６…受信部、１６０…スクリーン繰り出し・巻き取り装置、１６２，１７２…モータ、１６４…駆動力伝達手段、１７４…駆動力変換機構、１８０…リモコン、１８２…送信部、２１６…棒状部材、２３２…覆い部材、２３４…蓋部材、２３６…ヒンジ部、Ａ…壁面、Ｂ…窓、Ｃ…カーテンレール、Ｄ…カーテン、ＰＪ…プロジェクタ
【図１】
2009198636.tif 000003
【図２】
2009198636.tif 000004
【図３】
2009198636.tif 000005
【図４】
2009198636.tif 000006
【図５】
2009198636.tif 000007
【図６】
2009198636.tif 000008
【図７】
2009198636.tif 000009
【図８】
2009198636.tif 000010